(57)【要約】【課題】任意の奥行きに組み立てることができるようにしたスノコを提供する。【解決手段】このスノコは、並列に配列される複数の床板１０，１０…と、この床板１０，１０…の底面に取り付けられる複数の支持脚２０，２０…とを備えている。そして、床板１０の一方の側面と他方の側面とに、着脱可能に連結される凸形連結部３０と凹形連結部４０とが複数の箇所に突設して設けられ、床板１０の底面に前記支持脚２０，２０…の上端部を取り付ける結合部１２が設けられている。凸形連結部３０には、中間部に設けられた基部３１と、この基部３１から側面と平行に突出した軸部３２とが備えられている。凹形連結部４０には、前記凸形連結部３０の軸部３２の中間部３２ａを支承するように突出した受部４１と、前記凸形連結部３０の軸部３２の両端部３２ｂ，３２ｂを挿し込む切欠部４２ａを形成した膨出部４２，４２とが備えられている。【選択図】図１
2009050520.tif 000002
【特許請求の範囲】
【請求項１】
並列に配列される複数の床板と、該床板の底面に取り付けられる複数の支持脚とが備えられているスノコであって、
床板の一方の側面と他方の側面とに、着脱可能に連結される凸形連結部と凹形連結部とが複数の箇所に突設して設けられ、床板の底面に前記支持脚の上端部を取り付ける結合部が設けられていることを特徴とするスノコ。
【請求項２】
前記床板は、前記結合部と、該結合部を底面に突出させた天板部と、該天板部の両側縁から結合部と同一方向に突出させた側板部とが一体成形されていることを特徴とする請求項１に記載のスノコ。
【請求項３】
前記凸形連結部には、中間部に設けられた基部と、該基部から側面と平行に突出した軸部とが備えられ、
前記凹形連結部には、前記凸形連結部の軸部の中間部を支承するように突出した受部と、前記凸形連結部の軸部の両端部を挿し込む切欠部を形成した膨出部とが備えられていることを特徴とする請求項１又は２に記載のスノコ。
【請求項４】
前記凸形連結部の軸部には、床板の側面と平行に面取りされることによって突端側に設けられた径方向に幅の広い平坦な正面部と、該正面部の上下に連続して設けられた径方向に幅の狭い上面部及び下面部とが備えられ、
前記凹形連結部には、受部の上面に前記軸部の中間部の下面部を係止する上向きの溝部が設けられ、膨出部の切欠部の下面に前記軸部の両端部の上面部を係止する下向きの溝部が設けられ、前記受部の突端側の上面を切欠部の突端側の下面と対向するように仮想的に延長した仮想面と切欠部の突端側の下面との間隔が、前記軸部の上面部及び下面部の幅と同一もしくは広く、かつ、正面部の幅よりも狭くされていることを特徴とする請求項３に記載のスノコ。
【請求項５】
前記床板の結合部と支持脚とは、高さ調整可能なアジャスター機構によって構成され、
該アジャスター機構による支持脚の高さを調整するための調整用孔が床板の表面から結合部に形成されていることを特徴とする請求項１から４のいずれか１項に記載のスノコ。
【請求項６】
前記支持脚には、自在継手によって連結された脚部と座部とが備えられていることを特徴とする請求項１から５のいずれか１項に記載のスノコ。
【請求項７】
前記並列された複数の床板の両端部に嵌め込むキャップが備えられていることを特徴とする請求項１から６のいずれか１項に記載のスノコ。
【発明の詳細な説明】
【技術分野】
【０００１】
本発明は、浴室と脱衣室との段差、ベランダと室内との段差、道路の歩道と車道との段差など、各種段差を解消するためのスノコに関する。
【背景技術】
【０００２】
例えば、従来の浴室は、湯水が脱衣室内に流出しないように、洗い場の床面が脱衣室の床面よりも低くされている。しかし、近年においては、高齢者や身障者などが浴室に出入りしやすいようにするため、浴室から脱衣室に湯水が流出しないように設計されたうえで、浴室と脱衣室とが同一面とされている。このような状況の下、従来の浴室でも、脱衣室との段差を解消することができるようにしたスノコが各種提供されている。
【０００３】
例えば、特許文献１には、人の足等に触れる表面側を木質系の部材で被覆し、他の面を耐水性、耐腐食性に優れた部材で構成したすのこ板が開示されている。このすのこ板は、図８に示すように、複数の板材１０１，１０１…を適宜間隔をもって枠材１１０に載置固定したもので、枠材１１０は、横材１１１、縦材１１２及び四本の支柱１１３，１１３…等を組み合わせて構成され、支柱１１３，１１３…の下端には、高さを調整するためのアジャスター１０２，１０２…が装着されている。そして、板材１０１，１０１…は、耐水性、耐腐食性のある材質で構成されているが、表面側には木質系である天然系素材の表面層１０３が貼り合わされている。また、枠材１１０は、耐水性、耐腐食性のある材質で構成されている。
【０００４】
【特許文献１】特開２００３−１１６７２７号公報
【発明の開示】
【発明が解決しようとする課題】
【０００５】
特許文献１に開示されたすのこ板、その他のスノコは、複数の板材１０１，１０１…が枠材１１０に固定されている。したがって、浴室などに設置するには、複数の板材１０１，１０１…を備えたスノコごとに搬送しなければならず、その作業が大掛かりとなる。また、スノコを設置した浴室を清掃するには、スノコごとに持ち上げなければならず、高齢者にとっては、重労働となり、身障者は作業できない場合がある。
【０００６】
さらに、特許文献１に開示されたすのこ板は、アジャスター１０２を備えているが、このアジャスター１０２は、下端部が平盤によって構成されている。したがって、このすのこ板が浴室のような緩やかな斜面とされた床面に水平姿勢で設置されると、アジャスター１０２の下端部が床面と円弧状に当接し、不安定な状態となる。
【０００７】
そこで、本発明は、主として、任意の枚数の板材を組み立てることができ、二義的に、安定した状態で高さを微調整することができるようにしたスノコを提供することを課題とする。
【課題を解決するための手段】
【０００８】
本発明に係るスノコは、並列に配列される複数の床板と、該床板の底面に取り付けられる複数の支持脚とが備えられているスノコであって、床板の一方の側面と他方の側面とに、着脱可能に連結される凸形連結部と凹形連結部とが複数の箇所に突設して設けられ、床板の底面に前記支持脚の上端部を取り付ける結合部が設けられていることを特徴としている。
【０００９】
このスノコによれば、床板の一方の側面と他方の側面とに凸形連結部と凹形連結部とが設けられ、任意の枚数の板材を連結することにより、任意の奥行きに組み立てることができる。そして、支持脚が床板の底面に設けられた結合部に取り付けられることにより、支持脚の長さ分だけ、床板を持ち上げた状態とすることができる。
【００１０】
また、前記本発明にかかるスノコにおいて、前記床板は、前記結合部と、該結合部を底面に突出させた天板部と、該天板部の両側縁から結合部と同一方向に突出させた側板部とが一体成形されていることが好ましい。
【００１１】
このスノコによれば、床板が結合部を底面に突出させた天板部と、この天板部の両側縁から結合部と同一方向に突出させた側板部とによって構成されることによって、薄肉化を図り、軽量化することができ、また、これらが一体成形されることにより、生産性を向上させ、コストダウンを図ることができる。
【００１２】
また、前記本発明に係るスノコにおいて、前記凸形連結部には、中間部に設けられた基部と、該基部から側面と平行に突出した軸部とが備えられ、前記凹形連結部には、前記凸形連結部の軸部の中間部を支承するように突出した受部と、前記凸形連結部の軸部の両端部を挿し込む切欠部を形成した膨出部とが備えられていることが好ましい。
【００１３】
このスノコによれば、一方の床板の凸形連結部に設けられた軸部の中間部が他方の床板の凹形連結部に設けられた受部に支承され、一方の床板の凸形連結部に設けられた軸部の両端部が他方の床板の凹形連結部に設けられた切欠部内に挿し込まれることにより、一方の床板と他方の床板とが連結される。
【００１４】
また、凸形連結部に軸部が備えられ、凹形連結部に膨出部が備えられた前記本発明に係るスノコにおいて、前記凸形連結部の軸部には、床板の側面と平行に面取りされることによって突端側に設けられた径方向に幅の広い平坦な正面部と、該正面部の上下に連続して設けられた径方向に幅の狭い上面部及び下面部とが備えられ、前記凹形連結部には、受部の上面に前記軸部の中間部の下面部を係止する上向きの溝部が設けられ、膨出部の切欠部の下面に前記軸部の両端部の上面部を係止する下向きの溝部が設けられ、前記受部の突端側の上面を切欠部の突端側の下面と対向するように仮想的に延長した仮想面と切欠部の突端側の下面との間隔が、前記軸部の上面部及び下面部の幅と同一もしくは広く、かつ、正面部の幅よりも狭くされていることが好ましい。
【００１５】
このスノコによれば、各床板に設けられた凸形連結部の軸部と凹形連結部の受部及び膨出部とによって、各床板が着脱自在とされる。すなわち、凹形連結部を設けた一方の床板が横向き（水平姿勢）とされ、凸形連結部を設けた他方の床板が縦向き（鉛直姿勢）とされて連結することができる。他方の床板が縦向きの姿勢とされると、凸形連結部の軸部は、正面部が下向き、上面部及び下面部が左右向きとなり、軸部の中間部と両端部が一方の床板の受部と膨出部に形成された切欠部とに挟まれる。受部の突端側の上面を切欠部の突端側の下面と対向するように仮想的に延長した仮想面と切欠部の突端側の下面との間隔が軸部の上面部及び下面部の幅と同一もしくは広くされていることにより、軸部の両端部を切欠部に設けられた下向きの溝部内に挿し込むことができる。
【００１６】
そして、他方の床板が横向きの姿勢とされることにより、凸形連結部の軸部は、正面部が横向き、上面部及び下面部が上下向きとなる。上面部及び下面部が上下向きとなることにより、軸部の中間部の下面部が凹形連結部の受部に設けられた上向の溝部に係止され、軸部の両端部の上面部が凹形連結部の膨出部の切欠部に設けられた下向きの溝部に係止され、凸形連結部が凹形連結部から外れないように連結される。連結された床板を分離するには、他方の床板を縦向きの姿勢とする。
【００１７】
また、前記本発明に係るスノコにおいて、前記床板の結合部と支持脚とは、高さ調整可能なアジャスター機構によって構成され、該アジャスター機構による支持脚の高さを調整するための調整用孔が床板の表面から結合部に形成されていることが好ましい。
【００１８】
このスノコによれば、床板の底面に設けられた結合部と支持脚とがアジャスター機構によって構成されていることにより、床板ごとに高さを調整することができる。そして、調整用孔が床板の表面から結合部に形成されていることにより、支持脚の高さを床板の表面側から調整することができる。
【００１９】
また、前記本発明に係るスノコにおいて、前記支持脚には、自在継手によって連結された脚部と座部とが備えられていることが好ましい。
【００２０】
このスノコによれば、支持脚が自在継手によって連結された軸部と座部とを備えたものとされることにより、座部は、傾斜した設置面と同一の姿勢に傾斜することによって安定し、自在継手によって支持脚の軸部が鉛直姿勢とされることによって、床板を水平姿勢とすることができる。さらに、長さの異なる支持脚を床板の底面の結合部に取り付けることにより、並列に配列された複数の床板を傾斜させることができる。
【００２１】
また、前記本発明に係るスノコにおいて、前記並列された複数の床板の両端部に嵌め込むキャップが備えられていることが好ましい。
【００２２】
このスノコによれば、キャップが複数の並列された床板の両端部を嵌め込むことにより、各床板の両端部が拘束され、各床板が揺れないようにすることができる。
【発明の効果】
【００２３】
本発明によれば、床板の一方の側面と他方の側面とに凸形連結部と凹形連結部とが複数の箇所に突設して設けられることにより、任意の枚数の床板を連結することができる。したがって、このスノコは、分解した状態で軽量化して搬送することができ、また、連結された床板を個々に分解することができることから、清掃の際にスノコを持ち上げる負担を軽減することができる。
【発明を実施するための最良の形態】
【００２４】
本発明に係るスノコの一実施形態について図１から図７を参照しながら説明する。このスノコは、並列される複数の床板１０，１０…と、この床板１０，１０…の底面に取り付けられる複数の支持脚２０，２０…とを備えている。床板１０は、天板部１１の底面に結合部１２が設けられ、天板部１１の両側縁から結合部１２と同一方向に側板部１３，１３が突出し、これら１１，１２，１３が樹脂によって一体成形されている。
【００２５】
結合部１２と支持脚２０，２０…とは、高さ調整可能なアジャスター機構によって構成されている。すなわち、結合部１２には雌ネジが形成され、支持脚２０には雄ネジを形成した脚部２１が備えられている。なお、結合部１２に雄ネジを形成し、支持脚２０，２０…の脚部２１に雌ネジを形成してもよい。
【００２６】
いずれにしても、各床板１０の表面から結合部１２にかけてアジャスター機構による支持脚２０の高さを表面側から調整するための調整用孔１４が設けられていてもよい。この調整用孔１４に湯水などが溜まらないように、調整用孔１４が栓（図示せず）によって塞がれ、あるいは、支持脚２０に排水孔（図示せず）が形成される。
【００２７】
そして、各床板１０の一方の側面である側板部１３と他方の側面である側板部１３とには、着脱可能に連結される凸形連結部３０と凹形連結部４０が複数の箇所に突出して設けられている。凸形連結部３０と凹形連結部４０は、図１及び図２では、４箇所設けた場合を示しているが、長さに応じて設ける箇所が設定される。
【００２８】
凸形連結部３０は、図３及び図４に示すように、中間部に設けられた基部３１と、この基部３１から側面である側板部１３と平行に突出した軸部３２とを備えている。軸部３２は、基部３１に一体化されている中間部３２ａと、この中間部３２ａの両側に突出する端部３２ｂ，３２ｂとからなる。また、軸部３２には、突端側に設けられた平坦な正面部３２ｗと、この正面部３２ｗの上下に連続して設けられた上面部３２ｍ及び下面部３２ｎとが備えられている。正面部３２ｗは、側板部１３と平行に面取りされ、径方向に広い幅で形成されている。また、上面部３２ｍ及び下面部３２ｎは、円弧面状に径方向に狭い幅で形成されている。そして、軸部３２の両端部３２ｂ，３２ｂと対向する床板１０の側板部１３には凹陥部１３ｂ，１３ｂが設けられている。
【００２９】
一方、凹形連結部４０は、図５に示すように、前記凸形連結部３０の軸部３２の中間部３２ａを支承するように突出した受部４１と、この受部４１の両側において突出した膨出部４２，４２とを備えている。そして、受部４１の上面には、軸部３２の中間部３２ａの下面部３２ｎを係止する上向きの溝部４１ａが形成されている。
【００３０】
また、膨出部４２には、前記凸形連結部３０の軸部３２の端部３２ｂ，３２ｂを挿し込む切欠部４２ａが形成されている。この切欠部４２ａの下面には、軸部３２の端部３２ｂの上面部３２ｍを係止する下向きの溝部４２ｂが設けられている。そして、前記受部４１の突端側の上面を切欠部４２ａの突端側の下面の方に仮想的に延長した仮想面４３と切欠部４２ａの突端側の下面との間隔Ｘが、軸部３２の上面部３２ｍ及び下面部３２ｎの幅Ｙ同一もしくは広く、かつ、正面部３２ｗの幅Ｚより狭い間隔とされている。
【００３１】
なお、このように受部４１と膨出部４２，４２とを形成することにより、樹脂によって、一体成形することができる。したがって、受部４１と膨出部４２，４２とを別体とし、組み付けるようにする場合は、受部４１の上向の溝４１ａが膨出部４２，４２の下向きの溝部４２ｂと対向するように、受部４１を幅広に設けてもよい。いずれにしても、膨出部４２，４２の間の側板部１３には、前記凸形連結部３０の基部３１が入り込む逃げとなる凹陥部１３ａが形成されている。
【００３２】
そして、前記支持脚２０は、図２に示すように、前記脚部２１と座部２２とを備えている。脚部２１の下端部と座部２２の上端部は、自在継手２３によって連結されている。自在継手２３は、図示したように、座部２２の上端部に設けられた球状部と、脚部２１の下端部に設けられた凹曲面状部とを連結したボールジョイントが採用される。ただし、自在継手２３は、図示しない十字片と一対の二股片とで構成するなど、任意のものを採用することができる。
【００３３】
また、脚部２１は、前記のようにアジャスター機構を構成するものであり、図示したように全長に亘って雄ネジを形成してもよいし、結合部１２の雌ネジと螺合する上端部のみ雄ネジを形成してもよい。そして、座部２２は、板体を十字形に組み立て、底面に突出部２２ｂを設けたものとされている。このような構成とされることにより、このスノコが浴室で使用されるときに、排水を良好にすることができる。したがって、スノコが道路に設置される場合、座部２２は円盤状に構成してもよい。
【００３４】
ここで、このスノコの組立て方法について説明する。まず、図６に示すように、一方の床板１０を横向き（水平姿勢）とし、凹形連結部４０が横向き（鉛直姿勢）となるようにする。そして、他方の床板１０を縦向きの姿勢とし、凸型連結部の軸部３２に設けられた正面部３２ｗが下向きとなり、上面部３２ｍ及び下面部３２ｎが左右向きとなるようにする。この姿勢で、他方の床板１０の凸形連結部３０を一方の床板１０の凹形連結部４０の方へ挿し込む。
【００３５】
すると、切欠部４２ａの突端側の下面と受部４１の突端側の上面を仮想的に延長した仮想面４３との間隔Ｘが上面部３２ｍ及び下面部３２ｎの幅Ｙよりも広くされているため、凸形連結部３０の軸部３２の各端部３２ｂ，３２ｂが凹形連結部４０の切欠部４２ａ，４２ａ内に嵌り込み、凸形連結部３０の軸部３２の中間部３２ａが凹形連結部４０の受部４１に位置する。また、凸形連結部３０の基部３１が一方の床板１０の凹形連結部４０の部分に形成された凹陥部１３ａ内に入り込む。
【００３６】
そして、他方の床板１０を横向きの姿勢とすることにより、凸形連結部３０の軸部３２に設けられた正面部３２ｗを横向きとし、上面部３２ｍ及び下面部３２ｎを上下向きとする。すると、図７に示すように、軸部３２の中間部３２ａの下面部３２ｎが凹形連結部４０の受部４１に設けられた上向の溝部４１ａに係止され、軸部３２の各端部３２ｂ，３２ｂの上面部３２ｍ，３２ｍが膨出部４２，４２の下向きの溝部４２ｂ，４２ｂ内に係止される。そして、仮想面４３と切欠部４２ａの突端側の下面との間隔Ｘが軸部３２の正面部３２ｗの幅Ｚよりも狭くされていることから、凸形連結部３０が凹形連結部４０から外れないように連結される。
【００３７】
このとき、軸部３２の中間部３２ａの下面部３２ｎと受部４１の上向の溝部４１ａとが当接し、軸部３２の各端部３２ｂ，３２ｂの上面部３２ｍと膨出部４２，４２の下向きの溝部４２ｂ，４２ｂとが当接することにより、凸形連結部３０と凹形連結部４０とががたつくことなく連結される。そして、凹形連結部４０の膨出部４２，４２が凸形連結部３０の凹陥部１３ｂ，１３ｂ内に嵌り込むことにより、一方の床板１０，１０…と他方の床板１０，１０…との隙間が小さくなるようにされている。
【００３８】
このようにして、設置面の広さに合わせて、任意の枚数の床板１０，１０…を連結する。そして、図１の仮想線に示すようなキャップ５０を連結された複数の床板１０，１０…（図１では、３枚の床板１０，１０…を示しているが、枚数は限定しない。）の両端部（一方のみ図示する。）に嵌め込む。すると、各床板１０，１０…の両端部が拘束され、各床板１０，１０…が揺れないようにすることができる。
【００３９】
このキャップ５０は、仮想線に示したような枡形状であると、床板１０，１０…の両端部に突出した部分が設けられる。そこで、キャップ５０は、図示しないが、高さが床板１０の高さと同じとし、隣接している床板１０，１０の側板部１３，１３を挟む爪状体を形成したものとすることが好ましい。いずれにしても、床板１０，１０…の端部３２ｂ，３２ｂと設置面の壁面との間には、キャップ５０を嵌め込むための隙間が設けられていることが好ましい。
【００４０】
そして、支持脚２０の脚部２１の高さを調整する。床板１０に調整用孔１４が形成されているときは、道具（図示せず）を使用して脚部２１の上端縁を床板１０の表面側から操作する。床板１０に調整用孔１４が形成されていないときは、脚部２１を上向にして、あるいは下向きで掴み、支持脚２０の高さを調整する。
【００４１】
このスノコが浴室に設置される場合において、床面が緩やかな傾斜面とされていても、脚部２１と座部２２とが自在継手２３によって連結されていることから、床板１０を水平姿勢としても、座部２２が床面と同一方向に傾斜し、安定した状態とすることができる。そして、床板１０に調整用孔１４が形成されているときは、栓（図示せず）によって塞がれ、あるいは、支持脚２０に形成された排水孔（図示せず）によって、調整用孔１４に湯水が溜まらないようにされている。
【００４２】
そして、このスノコが浴室に設置される場合において、洗い場の床面を掃除する場合は、キャップ５０を外し、他方の床板１０を縦向きの姿勢とし、一方の床板１０から離隔させる。すると、凸形連結部３０が凹形連結部４０から外れ、他方の床板１０を一方の床板１０から分離する。このようにして、床板１０，１０…を任意の枚数ごとに分離して、持ち上げることにより、簡易に分解することができる。
【００４３】
なお、本発明は、前記実施の形態に限定することなく、特許請求の範囲に記載された技術的事項の範囲内において種々変更することができる。例えば、床板１０，１０…は、天板部１１と側板部１３とを一体成形したものでなく、厚板によって構成し、底面に雌ネジを形成することによって結合部１２を設けてもよい。
【００４４】
また、凸形連結部３０に備えられる軸部３２は、弾性変形する円柱状とし、凹形連結部４０に備えられる膨出部４２，４２は、前記軸部３２を嵌め込む軸孔を形成したものとしてもよい。さらに、このスノコを設置する状況により、アジャスター機構や自在継手２３、キャップ５０を備えないものとしてもよい。
【００４５】
そして、このスノコは、浴室以外にベランダや道路でも使用することができる。特に道路で使用する場合は、支持脚２０，２０…の長さを多種類用意し、並列に配列される複数の床板１０，１０…によって緩やかな斜面を設け、歩道と車道との段差を解消するようにすることができる。この場合のスノコは、床板１０，１０…の枚数を多くするほど、斜面を緩やかにすることができる。
【図面の簡単な説明】
【００４６】
【図１】本発明に係るスノコの一実施形態を示す上方から見た斜視図である。
【図２】本発明に係るスノコの一実施形態を示す下方から見た斜視図である。
【図３】本発明に係るスノコを構成している凸形連結部の一実施形態を示す下方から見た斜視図である。
【図４】本発明に係るスノコを構成している凸形連結部の一実施形態を示す上方から見た斜視図である。
【図５】本発明に係るスノコを構成している凹形連結部の一実施形態を上方から見た斜視図である。
【図６】本発明に係るスノコを組み立てている途中の一実施形態を示す下方から見た斜視図である。
【図７】本発明に係るスノコを組み立てたときの一実施形態を示す上方から見た斜視図である。
【図８】従来のスノコ（すのこ板）の一例であって、（ａ）は平面図、（ｂ）は正面図である。
【符号の説明】
【００４７】
１０……床板
１１……天板部
１２……結合部
１３……側板部
１４……調整用孔
２０……支持脚
２１……脚部
２２……座部
３０……凸形連結部
３１……基部
３２……軸部
３２ａ…中間部
３２ｂ…端部
３２ｎ…下面部
３２ｗ…正面部
４０……凹形連結部
４１……受部
４１ａ…上向の溝部
４２……膨出部
４２ａ…切欠部
４２ｂ…下向きの溝部
４３……仮想面
Ｘ………仮想面と切欠部の突端側の下面との間隔
Ｙ………軸部の下面部の幅
Ｚ………軸部の正面部の幅
【図１】
2009050520.tif 000003
【図２】
2009050520.tif 000004
【図３】
2009050520.tif 000005
【図４】
2009050520.tif 000006
【図５】
2009050520.tif 000007
【図６】
2009050520.tif 000008
【図７】
2009050520.tif 000009
【図８】
2009050520.tif 000010